(57)【要約】【課題】誤接触によりオンされ、電力エネルギが不要に消費され、電力が使い果たされ、ユーザが使用するとき、オンできなくなることを防ぐことができる実用性の高い電動マスカラブラシ構造を提供する。【解決手段】電動マスカラブラシ１は、動力源１１上に、スイッチ１２が配置される。スイッチ１２には、位置決め部材１３が延設される。動力源１１外には、ケース１４が配置される。ケース１４上には、スイッチ１２に対応するように、長孔１４１が設けられる。スイッチ１２は、長孔１４１内で摺動し、スイッチ１２がオフであるとき、スイッチ１２に延設された位置決め部材１３の前端は、ケース１４の前端と同じ位置になるように配置される。動力源１１の前端には、ブラシヘッド１５が接続される。動力源１１の外縁には、位置決め部材１３に対応するように、位置決め溝１１１が凹設される。【選択図】図１
0003170456.tif 000002
【実用新案登録請求の範囲】
【請求項１】
動力源上に、スイッチが配置され、
前記スイッチには、位置決め部材が延設され、
前記動力源外には、ケースが配置され、
前記ケース上には、前記スイッチに対応するように、長孔が設けられ、
前記スイッチは、前記長孔内で摺動し、
前記スイッチがオフであるとき、前記スイッチに延設された前記位置決め部材の前端は、前記ケースの前端と同じ位置になるように配置され、
前記動力源の前端には、ブラシヘッドが接続されることを特徴とする電動マスカラブラシ構造。
【請求項２】
前記動力源の外縁には、前記位置決め部材に対応するように、位置決め溝が凹設されることを特徴とする請求項１に記載の電動マスカラブラシ構造。
【考案の詳細な説明】
【技術分野】
【０００１】
本考案は、電動マスカラブラシ構造に関し、特に、誤接触によりオンされ、電力エネルギが不要に消費され、電力が使い果たされ、ユーザが使用するとき、オンできなくなることを防ぐ、実用性の高い電動マスカラブラシ構造に関する。
【背景技術】
【０００２】
女性は、チ−ク、アイシャドウ、口紅などで化粧をし、睫毛の部分は、マスカラを用いることが一般的である。従来のマスカラブラシは、針金にプラスチックのブラシが巻きつけられている。針金と、プラスチックのブラシ１つ々々と、を別々に製造し、針金とプラスチックのブラシとを機械により組み合わせたり、より簡易に製造する場合は、プラスチック材料をマスカラブラシ上に直接設けたりする。
【０００３】
如何なる方式により製造されたマスカラブラシでも、ユーザは、使用するとき、自分で回転させて睫毛にマスカラを塗る必要があるため、不便である。この問題に鑑み、メーカは、ブラシヘッドを駆動して回転させる動力源を有する電動マスカラブラシを開発した。これにより、ユーザは、睫毛の根元から全体にマスカラを均一に塗ることができ、便利にマスカラブラシを使用することができる。
【０００４】
このように、上述の電動マスカラブラシは、動力源によりブラシヘッドを駆動して回転させることで、睫毛にマスカラを均一に塗ることができる。しかし、一般に、マスカラブラシは、使用されないとき、その他の化粧品と共に化粧ポーチに収納されるが、その他の化粧品に当たったり押圧されたりし、動力源のスイッチが、誤接触によりオンされ、電力エネルギが不要に消費されることがある。このため、ユーザが使用するとき、電力が使い果たされてしまい、動力源をオンすることができなくなることがある。このように、従来のマスカラブラシは、全体的な構造において、改善の余地がある。
【考案の概要】
【考案が解決しようとする課題】
【０００５】
本考案の目的は、誤接触によりオンされ、電力エネルギが不要に消費され、電力が使い果たされ、ユーザが使用するとき、オンできなくなることを防ぐことができる実用性の高い電動マスカラブラシ構造を提供することにある。
【課題を解決するための手段】
【０００６】
上記課題を解決するために、本考案の第１の形態によれば、電動マスカラブラシは、動力源上に、スイッチが配置され、前記スイッチには、位置決め部材が延設され、前記動力源外には、ケースが配置され、前記ケース上には、前記スイッチに対応するように、長孔が設けられ、前記スイッチは、前記長孔内で摺動し、前記スイッチがオフであるとき、前記スイッチに延設された前記位置決め部材の前端は、前記ケースの前端と同じ位置になるように配置され、前記動力源の前端には、ブラシヘッドが接続されることを特徴とする電動マスカラブラシ構造が提供される。
【０００７】
また、前記動力源の外縁には、前記位置決め部材に対応するように、位置決め溝が凹設されることが好ましい。
【考案の効果】
【０００８】
本考案の電動マスカラブラシ構造は、誤接触によりオンされ、電力エネルギが不要に消費され、電力が使い果たされ、ユーザが使用するとき、オンできなくなることを防ぐことができる。
【図面の簡単な説明】
【０００９】
【図１】本考案の一実施形態による電動マスカラブラシ構造を示す分解斜視図である。
【図２】本考案の一実施形態による電動マスカラブラシ構造を示す斜視図である。
【図３】本考案の一実施形態による電動マスカラブラシ構造を示す断面図である。
【図４】本考案の一実施形態による電動マスカラブラシ構造を使用するときの状態を示す断面図である。
【考案を実施するための形態】
【００１０】
図１を参照する。図１に示すように、本考案の一実施形態による電動マスカラブラシ１は、動力源１１を有する。動力源１１上には、スイッチ１２が配置されている。スイッチ１２には、位置決め部材１３が延設されている。動力源１１の外縁には、位置決め部材１３に対応するように、位置決め溝１１１が凹設されている。動力源１１外には、ケース１４が配置されている。ケース１４上には、スイッチ１２に対応するように、長孔１４１が設けられている。スイッチ１２は、長孔１４１内で摺動する。スイッチ１２が、後ろに摺動され、オフであるとき、スイッチ１２に延設された位置決め部材１３は、動力源１１の外縁の位置決め溝１１１内に配置される。このとき、位置決め部材１３の前端は、ケース１４の前端と同じ位置になるように配置される。動力源１１の前端には、マスカラ容器２内に収納されるブラシヘッド１５が接続されている。
【００１１】
図２及び図３を参照する。図２及び図３に示すように、本考案の一実施形態による電動マスカラブラシ１が使用されないとき、ブラシヘッド１５は、マスカラ容器２内に収納されている。このとき、動力源１１外に配置されるケース１４の前端縁部は、マスカラ容器２の開口部の外縁に押し当てられている。このとき、スイッチ１２に延設され、ケース１４の前端と同じ位置に配置された位置決め部材１３の前端も、マスカラ容器２の開口部の外縁に押し当てられる。このため、スイッチ１２は、不用意に接触されても前に押し出されないため、動力源１１がオンされることを防ぐことができる。
【００１２】
図４を参照する。図４に示すように、本考案の一実施形態による電動マスカラブラシ１を使用する際、ブラシヘッド１５をマスカラ容器２から取り出す。このとき、スイッチ１２に延設された位置決め部材１３は、マスカラ容器２の開口部の外縁に押し当てられなくなる。ユーザは、スイッチ１２を前に摺動させ、動力源１１をオンする。動力源１１が、ブラシヘッド１５を駆動し回転させることにより、ユーザは、睫毛にマスカラを均一に塗ることができる。
【００１３】
上述したことから分かるように、本考案の電動マスカラブラシ構造は、従来の物と異なり、使用されないとき、子供などに遊ばれたり不用意に押されたりしても、スイッチが前に押し出されて動力源がオンされることがない。これにより、電気エネルギが不要に消費され、電力が使い果たされ、ユーザが使用するとき、オンできなくなる状況を防ぎ、高い実用性を有する。
【００１４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１５】
１      電動マスカラブラシ
２      マスカラ容器
１１    動力源
１２    スイッチ
１３    位置決め部材
１４    ケース
１５    ブラシヘッド
１１１  位置決め溝
１４１  長孔
【図１】
0003170456.tif 000003
【図２】
0003170456.tif 000004
【図３】
0003170456.tif 000005
【図４】
0003170456.tif 000006